(57)【特許請求の範囲】
【請求項１】
二次元の固定情報が記録された携帯可能な媒体を介して、撮像機能及び画面表示機能を有する通信端末に情報を提供する情報提供システムであって、
前記通信端末からインターネットを介して、前記媒体に記録された固定情報を撮像した撮像画像を受信する受付手段と、
前記固定情報を構成する画像データ又は文字データの少なくともいずれか一つと、前記固定情報に関連する複数の異なる提供情報を構成する提供データと、を対応させて格納する情報格納手段と、
前記受信した撮像画像と前記情報格納手段に格納されている画像データのマッチング処理、文字データの認識処理、又は画像・文字データのマッチング処理及び認識処理をして画像データ、文字データ又は画像・文字データを特定する画像・文字特定手段と、
前記特定された画像データ又は文字データの少なくともいずれか一つに対応する提供データを読み出して、前記受信した撮像画像に、前記読み出した提供データから構成される提供情報を合成させて前記通信端末の画面に表示させるための合成画像データを生成する提供情報生成手段と、
前記生成された合成画像データを前記通信端末に送信する送信手段と、を有するサーバを備え、
前記情報格納手段は、前記複数の異なる提供データを所定の位置データと所定の日時データの少なくともいずれか一方と対応させて格納し、
前記提供情報生成手段は、前記受付手段が、前記通信端末から前記撮像画像とともに受信する位置情報と前記受付手段で受け付けた日時情報の少なくともいずれか一方と、前記位置データと日時データの少なくともいずれか一方とが一致する提供データを読み出すことを特徴とする情報提供システム。
【請求項２】
前記情報格納手段は、前記位置データを所定の領域範囲で特定し、前記日時データを所定の日時範囲で特定し、前記領域範囲又は前記日時範囲の単位で複数のセグメントを形成し、前記提供データをセグメントごとに対応させて格納し、前記位置情報と日時情報の少なくともいずれか一方が、包含される関係にあるセグメントに対応した提供データを読み出すことを特徴とする請求項１記載の情報提供システム。
【請求項３】
前記提供情報生成手段は、前記位置情報及び日時情報が、前記位置データ及び日時データに一致せず、又は、前記セグメントに包含される関係にない場合、前記合成画像データの表示が可能な位置情報及び日時情報の配信条件データを生成し、前記送信手段は、前記通信端末に配信条件データを送信することを特徴とする請求項２記載の情報提供システム。
【請求項４】
前記サーバは、前記受け付けた撮像画像を構成する画像データ又は文字データの少なくともいずれか一つを、前記通信端末から前記インターネットを介して前記合成画像データの閲覧を要求するために、当該閲覧要求をする利用者によって設定された利用者識別情報に対応させて登録する記憶手段と、
前記通信端末から利用者識別情報を受信すると、前記記憶手段から当該利用者識別情報に対応付けられて登録されている画像データ又は文字データの少なくともいずれか一つで構成された固定情報の一覧を生成し、前記一覧から固定情報の選択が可能な形式で前記通信端末に送信する一覧画像生成送信手段とを有し、
前記通信端末上で選択された固定情報は、当該選択時の位置情報と日時情報で前記受付手段によって受け付けられることを特徴とする請求項１から請求項３までのいずれか１項に記載の情報提供システム。
【請求項５】
前記記憶手段に登録された画像データ又は文字データの少なくともいずれか一つは、前記利用者識別情報とともに、通信端末にも蓄積され、前記受付手段は、前記通信端末から、前記蓄積された画像データ又は文字データの少なくともいずれか一つで構成された固定情報が選択され、前記利用者識別情報とともに選択された固定情報を受け付けると、前記選択時の位置情報と日時情報で前記受付手段によって受け付けられることを特徴とする請求項４に記載の情報提供システム。
【請求項６】
前記記憶手段は、前記利用者識別情報とともに、少なくとも、前記固定情報を記録した媒体に関連する利用者属性情報を対応づけて登録し、
前記読み出された提供データが複数ある場合、前記提供情報生成手段は、前記利用者属性情報に基づいて所定の演算処理をし、前記複数の提供データを前記演算結果に従って所定の順序で表示するスコアリング処理手段を有し、前記スコアリング処理された複数の提供データは、前記送信手段によって、前記通信端末上で選択可能な形式で表示するために送信されることを特徴とする請求項４又は請求項５記載の情報提供システム。
【請求項７】
前記情報格納手段は、前記画像データ又は文字データの少なくともいずれか一つを所定のフレームによって分割し、分割された各フレームを部分画像データ、部分文字データ又は部分の画像・文字データとして前記画像データ、文字データ又は画像・文字データに対応させるとともに、各部分画像データ、各部分文字データ又は各部分の画像・文字データは、前記画像データ、文字データ又は画像・文字データに対応して格納されている提供データとは異なる提供データに対応させて格納し、
前記受付手段が、前記通信端末によって特定された前記部分画像データ、部分文字データ又は部分の画像・文字データに対応する撮像部分画像を、前記インターネットを介して受信すると、
前記画像・文字特定手段は、前記受信した撮像部分画像と前記格納されている部分画像データのマッチング処理、部分文字データの認識処理又は部分の画像・文字データのマッチング処理及び認識処理をして画像、文字又は画像・文字を特定し、
前記提供情報生成手段は、前記特定された部分画像データ、部分文字データ又は部分の画像・文字データに対応する前記提供データを読み出して前記合成画像データを生成することを特徴とする請求項１から請求項６までのいずれか１項に記載の情報提供システム。
【請求項８】
前記受付手段が、前記インターネットを介して前記通信端末から、前記一覧画像生成送信手段によって送信された一覧画像のうち、前記特定された撮像部分画像とともに、当該撮像部分画像を有する固定情報全体を撮像した撮像画像を選択した選択データを受け付けると、
前記画像・文字特定手段は、前記受信した撮像部分画像と、前記情報格納手段で前記選択された選択データに関連付けられた部分画像データのマッチング処理、部分文字データの認識処理又は部分の画像・文字データのマッチング処理及び認識処理をして特定することを特徴とする請求項７記載の情報提供システム。
【請求項９】
前記通信端末による撮像部分画像の特定は、前記通信端末が有するズーム機能によって前記画像の一部を撮像することによって行うことを特徴とする請求項７又は請求項８記載の情報提供システム。
【請求項１０】
前記サーバは、前記受付手段によって、前記通信端末から、前記固定情報全体を撮像した撮像画像又は前記固定情報全体を撮像した撮像画像の選択データを受け付けると、前記情報格納手段から前記部分画像データ又は部分文字データの少なくともいずれか一つを読み出して、前記分割された各フレームの単位で選択可能な部分画像データ群、部分文字データ群又は部分の画像・文字データ群を生成する選択フレーム生成手段を有し、前記通信端末による撮像部分画像の特定は、前記選択フレームを受信した通信端末から選択されたフレームデータを受信することによって行うことを特徴とする請求項７又は請求項８記載の情報提供システム。
【請求項１１】
前記一部の画像の特定は、前記サーバが、前記受付手段によって、前記通信端末から、前記固定情報全体を撮像した撮像画像又は前記固定情報全体を撮像した撮像画像の選択データを受け付けると、前記情報格納手段から前記部分画像データ又は部分文字データの少なくともいずれか一つを読み出して、前記受け付けた画像データ、文字データ又は画像・文字データに、読みだした部分画像データ、部分文字データ又は部分の画像・文字データの配置情報を前記分割された各フレームの単位で設定し、前記画像データ、文字データ又は画像・文字データに各フレームを表示するフレーム画像データを生成するフレーム画像データ生成手段を有し、前記フレーム画像データを受信した通信端末から、選択されたフレーム画像データを受信することによって行うことを特徴とする請求項７又は請求項８記載の情報提供システム。
【請求項１２】
前記情報格納手段は、前記格納されている画像データ又は文字データの少なくともいずれか一つとは異なる撮像角度によって撮像された角度別画像データを当該画像データ、文字データ又は画像・文字データに関連付けるとともに、前記画像データ、文字データ又は画像・文字データに対応して格納されている提供データとは異なる提供データに対応させて格納し、
前記受付手段が、前記インターネットを介して、前記利用者識別情報とともに、前記通信端末によって撮像された前記異なる撮像角度の画像を受信すると、
前記画像・文字特定手段は、前記受信した異なる撮像角度の画像と、前記格納されている角度別画像データとのマッチング処理、角度別文字データとの認識処理、又は角度別の画像・文字データとのマッチング処理及び認識処理をして画像を特定し、
前記提供情報生成手段は、前記特定された角度別画像データ、角度別文字データ又は角度別の画像・文字データに対応する提供データを読み出して前記合成画像データを生成することを特徴とする請求項４から請求項１１までのいずれか１項に記載の情報提供システム。
【請求項１３】
前記情報格納手段は、前記格納されている画像データ又は文字データの少なくともいずれか一つとともに、当該画像データ、文字データ又は画像・文字データから構成されている固定情報を記録した媒体と異なる固定情報が記録された媒体とを配列させた全体の画像を集合画像データ、集合文字データ又は集合の画像・文字データとして、前記配列させた全体の画像を構成する各画像データ、文字データ又は画像・文字データに関連づけるとともに、前記各画像データ、文字データ又は画像・文字データに対応して格納されている提供データとは異なる提供データに対応させて登録し、
前記受付手段が、前記インターネットを介して、前記利用者識別情報とともに、前記通信端末によって撮像された前記配列させた全体の画像を受信すると、
前記画像・文字特定手段は、前記受信した配列させた全体の画像と前記格納されている集合画像データのマッチング処理、集合文字データの認識処理又は集合の画像・文字データのマッチング処理と認識処理をして画像・文字を特定し、
前記提供情報生成手段は、前記特定された集合画像データ、集合文字データ又は集合の画像・文字データに対応する提供データを読み出して前記合成画像データを生成することを特徴とする請求項４から請求項１２までのいずれか１項に記載の情報提供システム。
【請求項１４】
前記集合画像データ、集合文字データ又は集合の画像・文字データは、前記配列の仕方によって対応する提供データが異なることを特徴とする請求項１３記載の情報提供システム。
【請求項１５】
前記記憶手段は、前記利用者属性情報に、前記部分画像データ、部分文字データ、部分の画像・文字データ、角度別画像データ、角度別文字データ又は角度別の画像・文字データ、集合画像データ、集合文字データ、集合の画像・集合文字データのいずれかに対応する提供データから生成された合成画像データの閲覧履歴を追加登録することを特徴とする請求項１３又は請求項１４記載の情報提供システム。
【請求項１６】
前記通信端末で撮像された固定情報の画像は、通信端末でのみ蓄積され、前記通信端末は、蓄積された画像からなる固定情報の一覧を生成し、前記一覧から固定情報が選択されると、前記受付手段は、前記選択時の位置情報と日時情報で前記受付手段よって受け付けられることを特徴とする請求項１から請求項３までのいずれか１項に記載の情報提供システム。  
【発明の詳細な説明】
【技術分野】
【０００１】
本発明は、通信端末に情報を提供する情報提供システムであって、特に、二次元の固定情報が記録された携帯可能な媒体を介して、撮像機能及び画面表示機能を有する通信端末に情報を提供するものに関する。
【背景技術】
【０００２】
情報を提供する媒体は、多種多様な形態が混在しているが、近年、多くの情報が電子化される一方で、二次元の固定情報が印刷されている物理的形状を有する媒体、たとえば、カードやチケット等の媒体も、依然として多数発行されている。特に、トレーディングカード、スポーツチームや芸能人のファンクラブ等の会員カード、観光カードあるいはプレミア的な価値を有するイベントチケット、さらには、レコードジャケットなど、は、当該媒体の保有者にとって、希少性等の観点から媒体自体が高い価値を有する。当該媒体の保有者は、このような媒体をコレクションすることに興趣をおぼえるため、当該印刷された固定情報が記録されている媒体には、電子化された情報とは異なる需要が存在し、かつ、当該固定情報に関連する独自の販売促進効果も認められている。
【０００３】
また、近年、インターネットを利用した情報配信によって需要者動向やニーズを把握するシステムが多数存在するが、依然として、個々人の嗜好を確実に特定するのは困難な状況である。この点、前記二次元の固定情報が印刷されている媒体は、各需要者の明確な嗜好に従って入手されるものであるため、当該媒体の所持情報は、前記需要者動向やニーズの把握に資する精度の高い情報として有用性が期待できる。
【０００４】
もっとも、前記固定情報は、時間の経過とともに情報が陳腐化するという本質的な欠点を有しており、高度にプレミア的なコレクション価値を有しない限り、ある時点で保有者の関心が希薄化し、価値が下落する。特に、近年のように、絶えず新しい情報が大量に提供されている状況では、情報の陳腐化が加速するため、単なるコレクションだけの用途に限定された媒体の需要は、マスで拡大しにくい状況になっている。従来、このような性質を有する二次元の固定情報が記録された媒体に新たな情報を提供するための機能を付加する工夫がなされてきた。
【０００５】
たとえば、携帯電話から変換サーバに識別コードを送信し、課金コード管理テーブルから識別コードに一致するレコードを検索し、コンテンツ選択サーバのページアドレスを取得した後、携帯電話から取得したページアドレスのコンテンツ選択サーバに接続し、選択部において携帯電話の属性、接続回数を用いて印刷物の内容に対応するウェブコンテンツが格納されているページアドレスを取得し、携帯電話からで取得したページアドレスを基に特定されるコンテンツサイトに接続し、ウェブコンテンツの配信を受けるコンテンツ配信システムが提案されていた（例えば、特許文献１参照）。このシステムによれば、携帯電話から面倒な入力操作をおこなうことなく、印刷物の内容に応じたウェブコンテンツの配信を受けることができる。
【０００６】
また、発行済みの商品に印刷され、該商品を一意に特定することが可能なシリアル情報が記憶された発行済シリアル情報記憶手段と、シリアル情報と提供対象のコンテンツが関連付けられて記憶されたコンテンツデータベースと、前記商品購入者の端末から送信した該商品に印刷されたシリアル情報を受信して、該シリアル情報が前記発行済シリアル情報記憶手段に記憶されているか否かに基づいて、該シリアル情報の妥当性を判定するシリアル情報判定手段と、前記シリアル情報の妥当性判定の結果、発行済みのシリアル情報である場合に、該シリアル情報に関連付けられたコンテンツデータを前記コンテンツデータベースから読み出して、該コンテンツデータを前記商品購入者の端末に対して送信するサービス提供手段と、を備えるサービス提供システムが提案されていた（例えば、特許文献２参照）。このシステムでは、シリアル番号が印刷された商品の具体例としてトレーディングカードを挙げて説明しており（特許文献２の段落番号００１１参照）、当該商品（トレーディングカード）を介して電子化された情報が提供される。
【０００７】
さらに、車内広告の見出しの近傍に印刷などの手段で表示されたマトリックス方式２次元コードをカメラ付き携帯端末で読み取りこれを解読し解読結果に従いネットワーク、サーバを経由してデータベースにアクセスしこのデータベースから先ほどの見出しに関連した詳細情報をさきのカメラ付き携帯端末に出力する情報提供システムが提案されていた（例えば、特許文献３参照）。このシステムによれば、一つの見出しに関連する詳細情報を簡単な操作で取得することができる。
【先行技術文献】
【特許文献】
【０００８】
【特許文献１】特開２００４−７０６５２号公報
【特許文献２】特開２００５−２５３４８号公報
【特許文献３】特開２００６−３８９７０号公報
【発明の概要】
【発明が解決しようとする課題】
【０００９】
しかし、前記先行技術は、いずれも、媒体上に識別コード、シリアル情報、２次元コードなど、新たな情報を提供するために、媒体上に、電子的な処理に必要な専用のコードを記録（記述）しなければならない。前記のとおり、当該固定情報が記録された媒体は、コレクション的な価値を有する場合が多く、記録されている画像や文字に併記し、あるいは、重ねて前記専用のコードを記録すると、全体のデザイン性を阻害し、コレクション的な価値を低下させる可能性があった。
【００１０】
また、そもそも、前記コレクション的価値の高いものは、前記のような電子情報を提供することは想定していないので、すでに発行された媒体については、前記専用コードを付すことができない。
【００１１】
近年、カードの上面部と下面部との間にＩＣチップを搭載し、外観を損なわずに、外部からの情報を入手する媒体もあるが、カード１枚当たりのコストは割高となるうえ、情報の読み取り等に専用リーダが必要になり、普及の障害になっていた。また、ＩＣチップは、既存のカードに後付けで搭載することができないという問題もあった。
【００１２】
さらに、前記専用コード、ＩＣチップが記録、搭載されている場合、情報入手した時点で、カード等の媒体の役割は終了しており、以後は、専ら情報が表示されている端末装置の表示画面上での操作で閲覧が行われる。すなわち、情報入手に関する限り、媒体上に記録された固定情報の鑑賞上の価値は何らその役割を発揮することなく、専らインターネット上で提供する情報資源の場所を示すための媒体としてのみ機能しているため、当該媒体を介した情報入手という迂遠な方法によらず、最初から通常の検索エンジン等を利用した一般的な情報入手を行えばよいのであって、当該機能の必然性が見出せない。
【００１３】
もちろん、当該固定情報に関して提供する情報が単一の情報であれば、検索エンジンを起動して、キーワードやＵＲＬの入力の手間を省くという効果は期待できる。しかし、閲覧要求される情報が、閲覧要求する場所や時間によって多種多様である場合、最初の操作で前記媒体を介した情報閲覧はできても、場所、時間に対応した多様な情報の入手をするためには、前記検索エンジン等を利用した情報検索と同様な操作が必要になるため、前記媒体が果たす役割はきわめて限定的なってしまうという問題があった。
【００１４】
上記問題点に鑑みて、本発明は、低コストで、二次元の固定情報が記録されている携帯可能な媒体を介して、固定情報の外観を損なわずに、動的に多種多様な情報を提供しながら、前記固定情報の鑑賞的な価値も同時に発揮させることができる情報提供システムを提供することを目的とする。
【課題を解決するための手段】
【００１５】
本発明にかかる情報提供システムは、二次元の固定情報が記録された携帯可能な媒体を介して、撮像機能及び画面表示機能を有する通信端末に情報を提供する情報提供システムであって、
前記通信端末からインターネットを介して、前記媒体に記録された固定情報を撮像した撮像画像を受信する受付手段と、
前記固定情報を構成する画像データ又は文字データの少なくともいずれか一つと、前記固定情報に関連する複数の異なる提供情報を構成する提供データとを対応させて格納する情報格納手段と、
前記受信した画像と前記情報格納手段に格納されている画像データのマッチング処理、文字データの認識処理、又は画像・文字データのマッチング処理及び認識処理をして画像データ、文字データ又は画像・文字データを特定する画像・文字特定手段と、
前記特定された画像データ又は文字データの少なくともいずれか一つに対応する提供データを読み出して、前記受信した撮像画像に、前記読み出した提供データから構成される提供情報を合成させて前記通信端末の画面に表示させるための合成画像データを生成する提供情報生成手段と、
前記生成された合成画像データを前記通信端末に送信する送信手段と、を有するサーバを備え、
前記情報格納手段は、前記複数の異なる提供データを所定の位置データと所定の日時データの少なくともいずれか一方と対応させて格納し、
前記提供情報生成手段は、前記受付手段が、前記通信端末から前記撮像撮像された画像とともに受信する位置情報と前記受付手段で受け付けた日時情報の少なくともいずれか一方と、前記位置データと日時データの少なくともいずれか一方とが一致する提供データを読み出すことを最も主要な特徴とする。
【００１６】
この構成によれば、媒体上の固定情報に基づいて、場所、時間に対応した情報を媒体上の固定情報に合成させた画像で閲覧することができる。
【００１７】
前記情報格納手段は、前記位置データを所定の領域範囲で特定し、前記日時データを所定の日時範囲で特定し、前記領域範囲又は前記日時範囲の単位で複数のセグメントを形成し、前記提供データをセグメントごとに対応させて格納し、前記位置情報と日時情報の少なくともいずれか一方が、包含される関係にあるセグメントに対応した提供データを読み出すようにしてもよい。この構成により、より広域あるいはより長期間の範囲で、情報の提供を受けることが可能になる。
【００１８】
前記提供情報生成手段は、前記位置情報及び日時情報が、前記位置データ及び日時データに一致せず、又は、前記セグメントに包含される関係にない場合、前記合成画像データの表示が可能な位置情報及び日時情報の配信条件データを生成し、前記送信手段は、前記通信端末に配信条件データを送信するようにしてもよい。
【００１９】
設定されている位置データ、日時データに一致又は包含される関係にない場合に、情報提供できる日時、位置の情報を提示することで、情報の提供サービスの享受を促進することができる。
【００２０】
前記サーバは、前記受け付けた撮像画像を構成する画像データ又は文字データの少なくともいずれか一つを、前記通信端末から前記インターネットを介して前記合成画像データの閲覧を要求するために、当該閲覧要求をする利用者によって設定された利用者識別情報に対応させて登録する記憶手段と、前記通信端末から利用者識別情報を受信すると、前記記憶手段から当該利用者識別情報に対応付けられて登録されている画像データ又は文字データの少なくともいずれか一つで構成された固定情報の一覧を生成し、前記一覧から固定情報の選択が可能な形式で前記通信端末に送信する一覧画像生成送信手段と、を有し、前記通信端末上で選択された固定情報は、当該選択時の位置情報と日時情報で前記受付手段によって受け付けるようにしてもよい。
【００２１】
利用者が、すでに合成画像の閲覧履歴がある場合、再度、閲覧する場合の操作性を簡易化するために、通信端末の画面上で選択可能な構成としたものである。
【００２２】
前記記憶手段は、前記利用者識別情報とともに、少なくとも、前記固定情報を記録した媒体に関連する利用者属性情報を対応づけて登録し、
前記読み出された提供データが複数ある場合、前記提供情報生成手段は、前記利用者属性情報に基づいて所定の演算処理をし、前記複数の提供データを前記演算結果に従って所定の順序で表示するスコアリング処理手段を有し、前記スコアリング処理された複数の提供データは、前記送信手段によって、前記通信端末上で選択可能な形式で表示するために送信するようにしてもよい。
【００２３】
提供する情報が複数ある場合は、利用者属性情報に従ってスコアリングして選択可能な形式で表示することにより、提供情報の閲覧の利便性を図ることができる。
【００２４】
前記情報格納手段は、前記画像データ又は文字データの少なくともいずれか一つを所定のフレームによって分割し、分割された各フレームを部分画像データ、部分文字データ又は部分の画像・文字データとして前記画像データ、文字データ又は画像・文字データに対応させるとともに、各部分画像データ、各部分文字データ又は各部分画像・文字データは、前記画像データ、文字データ又は画像・文字データに対応して格納されている提供データとは異なる提供データに対応させて格納し、前記受付手段が、前記通信端末によって特定された前記部分画像データ、部分文字データ又は部分の画像・文字データに対応する撮像部分画像を、前記インターネットを介して受信すると、前記画像・文字特定手段は、前記受信した部分撮像画像と前記格納されている部分画像データのマッチング処理、部分文字データの認識処理又は部分の画像・文字データのマッチング処理及び認識処理をして画像、文字又は画像・文字を特定し、前記提供情報生成手段は、前記特定された部分画像データ、部分文字データ又は部分の画像・文字データに対応する前記提供データを読み出して前記合成画像データを生成するようにしてもよい。
【００２５】
前記情報格納手段は、前記格納されている画像データ又は文字データの少なくともいずれか一つとは異なる撮像角度によって撮像された角度別画像データを当該画像データ、文字データ又は画像・文字データに関連付けるとともに、前記画像データ、文字データ又は画像・文字データに対応して格納されている提供データとは異なる提供データに対応させて格納し、前記受付手段が、前記インターネットを介して、前記利用者識別情報とともに、前記通信端末によって撮像された前記異なる撮像角度の画像を受信すると、前記画像・文字特定手段は、前記受信した異なる撮像角度の画像と、前記格納されている角度別画像データとのマッチング処理、角度別文字データとの認識処理、又は角度別の画像・文字データとのマッチング処理及び認識処理をして画像を特定し、前記提供情報生成手段は、前記特定された角度別画像データ、角度別文字データ又は角度別の画像・文字データに対応する提供データを読み出して前記合成画像データを生成するようにしてもよい。
【００２６】
さらに、前記情報格納手段は、前記格納されている画像データ又は文字データの少なくともいずれか一つとともに、当該画像データ、文字データ又は画像・文字データから構成されている固定情報を記録した媒体と異なる固定情報が記録された媒体とを配列させた全体の画像を集合画像データ、集合文字データ又は集合の画像・文字データとして、前記配列させた全体の画像を構成する各画像データ、文字データ又は画像・文字データに関連づけるとともに、前記各画像データ、文字データ又は画像・文字データに対応して格納されている提供データとは異なる提供データに対応させて登録し、前記受付手段が、前記インターネットを介して、前記利用者識別情報とともに、前記通信端末によって撮像された前記配列させた全体の画像を受信すると、前記画像・文字特定手段は、前記受信した配列させた全体の画像と前記格納されている集合画像データのマッチング処理、集合文字データの認識処理又は集合画像・文字データのマッチング処理と認識処理をして画像・文字を特定し、前記提供情報生成手段は、前記特定された集合画像データ、集合文字データ又は集合画像・文字データに対応する提供データを読み出して前記合成画像データを生成するようにしてもよい。前記集合画像データ、集合文字データ又は集合の画像・文字データは、前記配列の仕方によって対応する提供データが異なるようにしてもよい。
【００２７】
固定情報の全体画像のほか、前記部分画像データ、部分文字データ、部分の画像・文字データ、角度別画像データ、角度別文字データ又は角度別の画像・文字データ、集合画像データ、集合文字データ、集合の画像・文字データのいずれかに対応して別途提供データを格納することにより、印刷等された固定情報でありながら、多様な情報の提供が可能になる。
【００２８】
なお、前記記憶手段で当該利用者識別情報に対応付けられて登録されている固定情報が複数ある場合、部分画像データ、部分文字データ又は部分画像・文字データのみを受け付けても、画像・文字特定手段で一意に特定できない可能性がある。そこで、前記受付手段が、前記インターネットを介して前記通信端末から、前記一覧画像生成送信手段によって送信された一覧画像のうち、前記特定された撮像部分画像とともに、当該撮像部分画像を有する固定情報全体を撮像した撮像画像を選択した選択データを受け付けると、前記画像・文字特定手段は、前記受信した撮像部分画像と、前記情報格納手段で前記選択された選択データに関連付けられた部分画像データのマッチング処理、部分文字データの認識処理又は部分の画像・文字データのマッチング処理及び認識処理をして特定すればよい。
【００２９】
前記記憶手段は、前記利用者属性情報に、前記部分画像データ、部分文字データ、部分の画像・文字データ、角度別画像データ、、角度別文字データ又は角度別の画像・文字データ、集合画像データ、集合文字データ、集合の画像・集合文字データのいずれかに対応する提供データから生成された合成画像データの閲覧履歴を追加登録してもよい。
【発明の効果】
【００３０】
本発明の情報提供システムは、低コストで、二次元の固定情報が記録されている携帯可能な媒体を介して、固定情報の外観を損なわずに、動的に多種多様な情報を提供しながら、前記固定情報の鑑賞的な価値も同時に発揮させることができるという効果を奏する。
【００３１】
また、本システムによって情報提供することにより、カード等、前記媒体のコレクションの需要を積極的に喚起することができ、媒体自体の売上はもとより、媒体に記録されている固定情報によって販売促進の向上を図ることも可能になるという効果を奏する。
【００３２】
そもそもコレクション性の高いカード等の媒体は、それを所持しようとする行為自体が、粒度の高い利用者属性を示す可能性があり、高いコスト、高度な分析ツールを使用しなくても、本発明にかかる情報提供システムを利用することにより、利用者属性を容易に取得できるという効果も奏する。また、これらの媒体を所持するということは、当該媒体のコンテンツに関心があるからであり、所持しているという情報自体で所持するユーザの嗜好を高精度で把握することが可能になるという効果を奏する。
【図面の簡単な説明】
【００３３】
【図１】図１は、本発明にかかる情報提供システムの構成図である。
【図２】図２は、本発明にかかる情報提供システムを構成するサーバのブロック構成図である。
【図３】図３は、情報格納テーブルの概念図である。
【図４】図４は、位置データと日時データのセグメントを有する情報格納テーブルの概念図である。
【図５】図５は、本発明にかかる情報提供システムの処理フロー図である。
【図６】図６は、位置データ及び日時データ確認処理フロー図であり、（ａ）は。位置データ確認処理フロー図、（ｂ）は、日時データ確認処理フロー図である。
【図７】図７は、本発明にかかる情報提供システムによって通信端末に提供された情報の合成画像を示した図である。
【図８】図８は、サーバの第１変形例のブロック構成図である。
【図９】図９は、登録されたカードの一覧画像の表示例を示した図である。
【図１０】図１０は、サーバの第２変形例のブロック構成図である。
【図１１】図１１は、記憶部のテーブルの概念図である。
【図１２】図１２は、提供情報メニューを表示した画像例を示した図である。
【図１３】図１３は、部分画像データを含む情報格納テーブルの概念図である。
【図１４】図１４は、部分画像の特定をするための選択フレームを示した図である。
【図１５】図１５は、部分画像を特定するための部分画像の配置情報を示した図である。
【図１６】図１６は、部分画像データの特定の処理フロー図である。
【図１７】図１７は、撮像角度を変えて撮像している状態を示した図である。
【図１８】図１８は、集合画像を撮像している状態を示した図である。
【発明を実施するための形態】
【００３４】
図１を参照して、１は、本発明にかかる情報提供システムを構成するサーバである。サーバ１は、インターネットＩを介して通信端末Ｍ１、Ｍ２と接続されている。サーバ１は、複数の通信端末と接続可能であり、以下、総称して通信端末Ｍして説明する。通信端末Ｍは、画像の撮像機能を有しており、カードＣ１、Ｃ１（通信端末Ｍに対応して、以下「カードＣ」と総称する。）に記録されている画像を撮像し、インターネットＩを介して当該撮像画像をサーバ１に送信することができる。本実施の形態では、通信端末Ｍは携帯電話、スマートフォンを想定して説明するが、前記のとおり、サーバ１との通信が可能であり、かつ、画像の撮像機能、撮像された画像をサーバ１に送信する機能、及びサーバ１から送信された所定画像の表示機能を有するものであればこれに限定する趣旨ではない。
【００３５】
カードＣは、表面に二次元の固定画像が記録されている。記録方法は、カード表面上に印刷されたものであればよく、文字、画像、写真等、特に記録内容は限定されない。また、カード表面の文字等をエンボス加工したもの、ホログラム画像のように、観察する角度によって画像が変化するものも前記二次元の固定画像に含まれる。すなわち、固定情報とは、電子的にエンコード化されておらず、かつ、電子的に書換等を行うことができない固定化された情報のことをいう。カードＣ上に磁気ストライプ、バーコード、二次元コード及びＩＣチップ等の電子的情報媒体が搭載されていてもかまわないが、本発明では、原則として、これらの電子的情報媒体はその本来的機能を使用しない。カードＣは、具体的には、スポーツ、音楽、映画、観光地等の情報を印刷した会員カードや趣味性の高いトレーディングカードのほか、診察券、買い物ポイントカード、さらには、コンサートなどのチケット、などであるが、さらに、たとえば、野球ボールなどの球体に印刷された画像やサインなども対象とすることができる。すなわち、二次元の固定情報を記録する表面を有し、携帯可能なものであれば、形状はカード状のものに限定しない。本実施の形態では、以下、トレーディングカードを例として説明する。
【００３６】
図２は、サーバ１のブロック構成図である。図２は、本発明に直接的に関係する機能のみを記載したものであり、実際にはコンピュータとしての汎用的機能を備えている。すなわち、サーバ１は、少なくとも、コンピュータプログラムによって各種処理及び制御を行うＣＰＵ、前記コンピュータプログラム及び前記処理で得られたデータを一時的に記憶するメモリ、各種データのやり取りを行う入出力装置、各種データを格納する外部記憶装置、前記インターネット網を介して、通信端末Ｍ、他の通信装置と通信を行うための通信部（いずれも図示せず）を備えている。そして、以下で説明する各機能は、コンピュータプログラムによって実行されるが、前記ＣＰＵが、前記メモリに格納された所定のコンピュータプログラムを読み出して実行することにより、サーバ１に存在する構成要素として機能するものである。すなわち、前記コンピュータプログラムであるソフトウェアが前記ＣＰＵ等のハードウェアに読み込まれることにより、ソフトウェアとハードウェア資源とが協働した具体的手段によって、使用目的に応じた情報の演算又は加工を実現し、当該使用目的に応じた特有の情報処理装置が構築されているものである。
【００３７】
通信端末ＭからカードＣの固定情報を撮像した画像が送信されると、サーバ１の受付部１１で受信する。サーバ１の情報格納部１２は、後述するとおり、予め、前記固定情報を構成する画像データと当該固定情報に関連する複数の異なる提供情報を構成する提供データとを対応させて格納している。
【００３８】
受付部１１で受信した画像は、画像特定部１３で、情報格納部１２に格納されている画像データとのマッチング処理を行って、受信した画像を情報格納部１２内の画像データによって特定する。画像のマッチング処理は、前記受信した画像と画像データとの比較によって画像データを特定できる方法であればよい。たとえば、画像を所定の等間隔な線でメッシュ分割し、分割線の交点の座標点ごとに特徴量を算出する一方、前記予め情報格納部１２に格納されている画像データも同様に特徴量を算出し、双方のハミング距離を算出して、予め類似度を判定する閾値を設定しておき、当該閾値との比較から同一かどうかの判断を行えばよい。カードＣには、画像だけでなく、たとえば、会員番号等、文字も記載されている場合がある。画像が文字のみ、又は文字を含むものの場合、撮像された画像を前記マッチング処理するよりも、文字の認識処理を行った方が良い場合もある。本発明は、画像の特定及び／又は文字の特定が可能であるが、以下、説明の便宜上、本実施の形態では、画像のマッチング処理を例に説明し、文字の認識処理についての説明は省略する。したがって、文字の認識処理も行う場合は、画像特定部１３は、画像・文字特定部となる。なお、情報格納部１２は、同一のカードＣであっても、異なる方向、角度で撮像された画像を別のカードの固定情報として格納してもよい。したがって、前記異なる方向、角度で撮像された画像を受け付けた場合、画像特定部１３は、当該方向、角度で撮像された画像を固定情報として有する別のカードＣとのマッチング処理を実行することになる。典型的には、カードＣの固定画像が前記ホログラム画像などの場合が該当するが、これに限定する趣旨ではない。
【００３９】
画像特定部１３で画像データが特定されると、提供情報生成部１４において、特定された画像データに対応づけられている提供データを読み出す。そして、読みだされた提供データから、通信端末Ｍの表示画面上でカードＣ上に合成画像を表示させるための合成画像データを生成する。生成された合成画像データは、送信部１５から通信端末Ｍに送信され、通信端末Ｍの表示画面上に、提供情報がカードＣに対する合成画像として表示される。合成画像は、静止画のほか、動画であってもよい。単に、提供情報を通信端末Ｍに表示させるのではなく、カードＣとの合成画像で表示することにより、カードＣを収集する利用者の興趣を損なうことなく、新たな情報を提供することができる。したがって、合成画像は、単に、カードＣに記録されている固定情報（コンテンツ）に新たな情報を提供するもののほか、コンテンツと恰も一体となっているような画像（例えば、スポーツ選手や芸能人と前記利用者が並んで写っているような画像、観光地の写真画像内に利用者が立っている画像）を提供することもできる。
【００４０】
前記合成画像は、たとえば、公知のいわゆる拡張現実の技術を利用すればよい。特に、近年、マーカレスで拡張現実の合成画像を生成することが可能であることから、カードＣが、既存の固定情報のみが記載されているものであっても、前記合成画像を提供することが可能である。
【００４１】
図３は、サーバ１の情報格納部１２で前記固定情報を構成する画像データと当該固定情報に関連する複数の異なる提供情報を構成する提供データとを対応させたテーブルＴ１の概念図である。テーブルＴ１は、画像データＴ１１、位置データＴ１２、日時データＴ１３、提供データＴ１４から構成されている。たとえば、画像データＴ１１は、同一の画像データＧ１に対して複数の提供データＴ１４が対応づけられている。これらの提供データＴ１４のうち、いずれの提供データを選択して通信端末Ｍに提供するか、は、位置データＴ１２及び／あるいは日時データＴ１３によって決定される。
【００４２】
位置データＴ１２は、通信端末Ｍから前記撮像された画像が送信されてきた場所によって特定される。通信端末Ｍの位置情報は、たとえば、ＧＰＳ（Ｇｌｏｂａｌ  Ｐｏｓｉｔｉｏｎｉｎｇ  Ｓｙｓｔｅｍ）を利用するもの、通信端末Ｍ用の基地局の位置と通信端末Ｍとの距離を計算し、場所を推定するモバイル通信ネットワークを利用するもの、通信端末Ｍが無線ＬＡＮを利用する場合は、当該無線ＬＡＮのアクセスポイントを特定し、位置情報サーバ（図示せず）に記録されたアクセスポイントの位置情報から特定するもの、等、位置情報が特定できる方法であれば特に限定はしない。
【００４３】
日時データＴ１３は、サーバ１が携帯端末Ｍから撮像された前記画像を受け付けた時間（日時）のデータを受付部１１で取得すればよい。なお、通信端末Ｍとサーバ１との間で時間の齟齬が生じる場合がある。この場合は、たとえば、通信端末Ｍとサーバ１とで、インターネット経由でＮＴＰ（Ｎｅｔｗｏｒｋ  Ｔｉｍｅ  Ｐｒｏｔｏｃｏｌ）メッセージを共通のＮＴＰサーバに問合せるようにし、内部時計を調整して時間の同期処理をおこなえばよい。
【００４４】
通信端末Ｍからサーバ１に撮像した画像を送信することにより、受付部１１で前記位置データと日時データを取得することにより、当該画像とマッチング処理された画像データに対応する位置データ、日時データがテーブルＴ１の位置データＴ１２と日時データＴ１３から読み出されて、１の画像データに複数対応付けられている提供データＴ１４の提供データから一意に提供データが特定される。たとえば、通信端末Ｍが、２０１４年４月１８日、１５時に、○○球場内で撮像した画像（画像データＧ１に対応する画像）をサーバ１に送信すると、テーブルＴ１のＧ１に対応する提供データ（本実施形態では３つある。）のうち、位置データＴ１２の「○○球場」、日時データＴ１３の「２０１４．４．１８  １５：００」が特定され、結果、提供データＴ１４では、「前売りチケット情報」が対応するため、通信端末Ｍに提供されるデータは、前売りチケット情報ということになる。なお、本実施の形態では、提供データを特定するために、位置データと日時データの双方の一致が条件づけられた例で説明したが、位置データ、日時データのいずれか一方のみの一致で提供データが特定されるようにしてもよい。
【００４５】
ところで、図３では、位置データＴ１２及び日時データＴ１３がいずれも、特定の地点、特定の時間に限定されている形態を説明したが、実際には、位置データについては、一定範囲の領域、日時データについては、一定範囲の期間を設定した方が、利便性が高い。そこで、図４のテーブルＴ２で示すとおり、位置データＴ２２、日時データＴ２３について、一定範囲の領域、一定範囲の期間で設定するために、セグメント単位でテーブルを構成するようにしてもよい。たとえば、図４（ａ）テーブル２の位置データＴ２２は、画像データＴ２１の画像データＧ１についてセグメントＺ−Ｓｅｇ．１からセグメントＺ−Ｓｅｇ．３までの位置データが対応し、日時データＴ２３については、セグメントＴ−Ｓｅｇ．１からセグメントＴ−Ｓｅｇ．３までが対応している。各位置データＴ２２、日時データＴ２３は、図４（ｂ）で示す通り、セグメント単位に、一定範囲の領域、一定範囲の期間が具体的に特定されている。たとえば、セグメントＺ−Ｓｅｇ．１は、「関東（１都６県）」の領域が特定され、セグメントＴ−Ｓｅｇ．１は、「２０１４．４．１７ ９：００−２０１４．４．１８ ２４：００」の期間が特定されている。通信端末Ｍが、２０１４年４月１８日、１２：００に東京都で画像データＧ１に対応する画像を撮像し、サーバ１に送信すると、これに対応する提供データは、「前売りチケット情報」として一意に特定され、前売りチケット情報に関する合成画像が生成されて、通信端末Ｍに送信されることになる。
【００４６】
図５は、本発明にかかる情報提供システムの処理フロー図である。以下、図５の処理フローを使って本発明にかかる情報提供システムの作用を説明する。
【００４７】
通信端末Ｍから撮像された画像を受付部１１で受け付けると（Ｓ１）、情報格納部１２から読み出し画像があるか否か判断し（Ｓ２）、読み出し画像がある場合は（Ｓ２のＹｅｓ）、格納された画像を読み出し（Ｓ３）、画像特定部１３で画像マッチングを行う（Ｓ５）。画像マッチング処理で画像が一致した場合は（Ｓ６のＹｅｓ）、位置データ確認処理及び日時データ確認処理を行う（Ｓ７、Ｓ８）。
【００４８】
位置データ確認処理及び日時データ確認処理の詳細について、以下、図６（サブルーチン）で説明する。図６（ａ）は、位置データ確認処理のフロー図である。通信端末Ｍから位置情報を受け付けると（Ｓ７１）、情報格納部１２で読み出す位置データの有無を確認し（Ｓ７２）、データがある場合は（Ｓ７２のＹｅｓ）、位置データを読み出して（Ｓ７４）、前記受け付けた位置情報が、読み出した位置データのセグメントに包含されているかどうかを判断する（Ｓ７５）。セグメントに包含される場合は（Ｓ７５のＹｅｓ）、対応提供データを特定し（Ｓ７６）、位置データ確認処理を終了する。セグメントに包含されない場合は（Ｓ７５のＮｏ）、再度Ｓ７２からＳ７５の処理を繰り返す。Ｓ７２において、読み出し位置データがない場合（Ｓ７２のＮｏ）、通信端末Ｍにエラー表示を返して終了してもよいが、処理フローで示す通り、合成画像データの表示が可能な位置情報を示す配信条件データを生成し（Ｓ７３）、これを対応提供データとして特定し（Ｓ７６）、通信端末Ｍに配信するようにしてもよい。配信条件データは、たとえば、合成画像データの表示が可能な場所をテキスト、画像、音声、動画等により、通知するものであればよい。
【００４９】
図６（ｂ）は、日時データ確認処理のフロー図である。処理内容は、位置データ確認処理の場合とほぼ同一である。すなわち、通信端末Ｍから画像を受け付けた日時情報を取得すると（Ｓ８１）、情報格納部１２で読み出す日時データの有無を確認し（Ｓ８２）、データがある場合は（Ｓ８２のＹｅｓ）、日時データを読み出して（Ｓ８４）、前記取得した日時情報が、読み出した日時データのセグメントに包含されているかどうかを判断する（Ｓ８５）。セグメントに包含される場合は（Ｓ８５のＹｅｓ）、対応提供データを特定し（Ｓ８６）、日時データ確認処理を終了する。セグメントに包含されない場合は（Ｓ８５のＮｏ）、再度Ｓ８２からＳ８５の処理を繰り返す。Ｓ８２において、読み出し日時データがない場合（Ｓ８２のＮｏ）、合成画像データの表示が可能な日時情報を示す配信条件データを生成し（Ｓ７３）、これを対応提供データとして特定し（Ｓ７６）、通信端末Ｍに配信する。
【００５０】
なお、図６は、（ａ）（ｂ）いずれも本実施の形態では、情報格納部１２の図４のテーブルＴ２を使用した処理フローである。図３で説明したテーブルＴ１を使用する場合は、Ｓ７５又はＳ８５は、位置データ又は日時データとの一致か不一致を判断するようにすればよい。また、本実施の形態では、位置データ、日時データの双方の一致、又は包含関係を判断しているが、いずれか一方のみをテーブルで対応付けて、他方は、条件として設定しないようにしてもよい。
【００５１】
図５に戻り、Ｓ５の画像マッチングで一致しない場合は（Ｓ６のＮｏ）、情報格納部１２で別の画像データを読み出すために、Ｓ２の読み出し画像の有無の判断を行う。以降、読み出し画像が存在する限り、Ｓ２からＳ６の処理を繰り返す。なお、読み出し画像がない場合は（Ｓ４）、一致画像がなしという通知を通信端末Ｍに返せばよい（Ｓ４）。
【００５２】
前記位置データ確認処理及び日時データ確認処理後、マッチングで一致した画像データ及び位置データ、日時データと対応づけられている提供データを情報格納部１２から読み出す（Ｓ９）。読み出された提供データから、提供情報生成部１４で合成画像データが生成される（Ｓ１０）。生成された合成画像データは、送信部１５により、通信端末Ｍに送信され（Ｓ１１）、通信端末Ｍの表示画面に表示される。
【００５３】
図７は、通信端末Ｍに合成画像を表示させている例を示した図である。通信端末ＭでカードＣを撮像し、サーバ１に送信すると、サーバ１で生成された合成画像データが送信され、図７で示すとおり、カードＣ上に合成画像Ｐ（本実施の形態では、球場までのディレクションマップの画像）が表示される。
【００５４】
ところで、同一のカードＣについて、過去に通信端末Ｍで撮像してサーバ１に送信したものである場合、再度撮像の手間を省き、直ちに情報提供を受けることができるようにすれば、利用者にとって利便性が高くなる。図８のサーバ１のブロック構成図は、過去の通信端末Ｍで撮像した画像によって、情報の提供を受ける場合、画像の撮像をしなくても合成画像が得られるようにしたサーバ１の第１の変形例である。図２と同じ構成のものは、同一の番号を付し、詳細な説明は割愛する。
【００５５】
受付部１１で受け付けられた画像は、受付済み画像データとして記憶部１６に記憶される。記憶部１６は、受付済み画像データと画像を送信してきた利用者識別情報とを対応させて記憶する。利用者識別情報は、最初に撮像した画像を送信するときに、通信端末Ｍから入力して登録するようにすればよい。
【００５６】
サーバ１は、通信端末Ｍから、受付部１１で前記利用者識別情報を受信すると、一覧画像生成送信部１７では、記憶部１６の利用者識別情報に対応づけられて登録されている画像データを読み出し、カードＣの固定情報一覧を生成し、通信端末Ｍに当該一覧画像を送信する。図９は、一覧画像を通信端末Ｍの表示画面Ｍｄ上に表示させた状態を示した図である。カードＣの画像が一覧できるようにいわゆるアーカイブ画像が表示され、スクロールすることにより、すべての画像が閲覧できるようになっている。また、選択したい画像をタップすることにより、当該画像を選択したという信号がサーバ１に送信されるようにすればよい。
【００５７】
一覧画像は、通信端末Ｍの画面上で選択可能になっており、選択された画像（固定情報）をサーバ１に送信すると、選択時の位置情報と選択画像をサーバ１で受け付けた日時情報によって受付部１１で受け付けられ、以後の処理は、図５の処理フローと同一の処理が行われる。このような構成にすれば、同一のカードについて２回目以降は、カードＣを撮像しなくても合成画像による情報の提供を受けることができる。なお、本発明にかかる情報提供システムを利用する場合、通信端末Ｍの初期画面において、新規に撮像した画像の送信をするのか、利用者識別情報を送信して記憶部１６に記憶されている受付済み画像データを利用するのかの選択画面を表示してもよい（図示せず）。
【００５８】
なお、通信端末Ｍ側でも、利用者識別情報とともに前記受付済み画像データを蓄積し、通信端末Ｍから、前記蓄積された画像データのうち、利用者が所望する固定情報を選択し、前記利用者識別情報とともにサーバ１に送信すると、受付部１１は、前記選択時の位置情報と日時情報で受け付けるようにしてもよい。このようにすれば、オフラインでも、画像の選択が可能になり、情報提供の高速化を図ることが可能になる。さらに、前記固定情報一覧は、通信端末Ｍのみで生成し、サーバ１では生成しないようにしてもよい。したがって、この場合は、通信端末Ｍで撮像された画像は、各通信端末Ｍのみで蓄積され、サーバ１には記憶されない。この場合も、通信端末Ｍで表示させた前記固定情報一覧から所望の固定情報を選択し、サーバ１に送信した場合、前記選択時の位置情報と日時情報で受付部１１が受け付けることになる。このような構成にすることでさらに情報提供の高速化を図ることができる。
【００５９】
図１０は、サーバ１の第２の変形例を示したブロック構成図である。情報格納部１２に格納されている提供データが、同じ位置データ及び／又は日時データで複数ある場合、通信端末Ｍに合成画像を提供する前にどの合成画像を所望するかを選択できるようにするためのスコアリング処理部１８を追加したものである。
【００６０】
一般に、カードＣに記録されている固定情報は、カードＣの保有者（本発明にかかるシステムの利用者）の趣味、嗜好又は生活と密接に関係しており、カードＣから利用者の属性が特定できる。そこで、記憶部１６は、当該固定情報に関連する属性をデータ化し、利用者属性情報として、受付済み画像データ及び画像を送信してきた利用者識別情報とを対応づけて記憶する。
【００６１】
提供情報生成部１４において、同じ位置データ及び／又は日時データで提供データが複数ある場合、前記利用者属性情報から、複数の提供データに対して適合度を計算する所定の演算処理を行い、演算結果に従って演算結果のハイスコアの順序で列挙したデータを送信部１５から通信端末Ｍ上で選択可能な形式で表示するために送信する。前記演算処理は、予め提供データごとに属性の適合度を数値化したテーブル（属性値テーブル）を設定し、一つの提供データに複数の属性値が関連する場合は、これを合算して、トータルポイントで高い得点順（降順）にソートすればよい（図示せず）。
【００６２】
図１１は、図１０のサーバ１の第２の変形例において、記憶部１６のテーブルＴ３の概念図を示したものである。テーブルＴ３は、利用者識別情報Ｔ３１と受付済み画像データＴ３２と利用者属性情報Ｔ３３とが対応している。１の利用者識別情報に対して、受付済み画像データは、登録した画像データの数だけ対応するので、受付済み画像データＴ３２の数が多くなると、これに対応して利用者属性情報Ｔ３３も増えるので属性値の演算の精度が向上する可能性がある。なお、本実施の形態では、本発明の特徴を説明する便宜上、利用者属性情報Ｔ３３は、カードＣから得られる属性のみを登録しているが、実際には、性別、年齢、居住地等、他の属性も対応させて前記属性値の演算ができるようにすれば、より高い精度のスコアリングが可能になる。図１２は、スコアリング処理されて適合度の高い順に提供情報メニューを通信端末Ｍに表示させている例を示している。提供情報メニューから所望の項目をタップして選択すると、当該選択された提供情報に基づく合成画像が表示されるようになっている（図示せず）。
【００６３】
１枚のカードＣには、通常、複数の情報が記録されている。図１から図１２までの実施形態では、画像データとしてカードＣ全体の画像のみを対象としたが、１枚のカードＣであっても、固定情報の一部を部分画像として特定することにより、全体画像とは異なる提供データを対応させることができる。したがって、図１から図１２までの位置データ、日時データに対応した情報提供に加えて、１枚のカードＣから撮像可能な部分画像を複数特定し、これに対応してさらに異なる提供データによる合成画像の送信が可能なる。すなわち、１枚のカードＣであっても、場所、日時、画像の３つの要素が各々複数存在し、これらが相互に対応づけられることにより、動的かつ多様な情報を提供することができる。
【００６４】
図１３は、Ｔ１又はＴ２のテーブルに前記部分画像データを対応させたテーブルＴ４を示す概念図である（以下、テーブルＴ２をベースとして説明する）。テーブルＴ４は、Ｔ２同様、画像データＴ４１，位置データＴ４２、日時データＴ４３を有する。相互に一意に対応する画像データＴ４１、位置データＴ４２及び日時データＴ４３に対して、複数の部分画像データＴ４４が対応付けられている。部分画像データＴ４４には、１のカードＣに記録されている部分画像データのほか、カードＣの全体画像データも含まれる。本実施の形態では、画像データＧ１について、全体画像データをＧ１−Ａｌｌとし、画像データＧ１を構成する各部分画像データは、たとえばＧ１−１、Ｇ１−２としている。そして、全体画像データを含む部分画像データの各々に異なる提供データが対応づけられている。たとえば、画像データＧ１に対応するカードＣのＧ１−１に対応する部分のみを通信端末Ｍで撮像してサーバ１に送信すると、位置データがＺ−Ｓｅｇ．１に包含され、日時データがＴ−Ｓｅｇ．１に包含されている場合、提供データは、前売りチケット販売店案内が特定される。
【００６５】
通信端末Ｍで前記部分画像を特定するための操作としては、最も簡易な方法は、通信端末Ｍが有する撮像機能のズームを利用し、カードＣの固定情報のうち、所望の情報をズームして撮影し、部分画像を取得し、これを送信すればよい。
【００６６】
さらに、正確に部分画像を特定するためには、図１４、図１５のようにすればよい。まず、テーブルＴ４について、Ｔ４１の画像データを所定のフレームによって分割し、分割された各フレーム内の画像データをＴ４４の部分画像データとして対応させる（図示せず）。図１４、図１５で示す通り、カードＣは、フレームＦ１、フレームＦ２、フレームＦ３によって、４つの部分画像エリアに分割される。たとえば、部分画像エリアＣｐ１は、野球選手個人の成績情報、部分画像エリアＣｐ２は、野球チームの成績情報、部分画像エリアＣｐ３は、試合当日のシート案内他、試合中のリアルタイム情報、部分画像エリアＣｐ４は、チケット前売り情報や更新情報、というように対応するとともに、カードＣ全体は、前記部分画像に対応する各情報のダイジェスト情報が対応すればよい。
【００６７】
図１４は、部分画像の特定について、部分画像データのアーカイブを生成して、所望の部分画像を選択する場合の画面表示例を示したものである。受付部１１が、通信端末Ｍから、カードＣの固定情報全体を撮像した画像又は図９で説明した一覧画像から選択された選択データを受け付けると、情報格納部１２から図１３で説明したテーブルＴ４からすべての部分画像データを読み出して、フレームＦ１からＦ３のそれぞれの単位で選択可能な部分画像データ群からなる選択フレームを生成する。本実施形態では、通信端末Ｍの表示画面Ｍｄに、選択フレームを４つ表示したものを示した。これら４つの選択フレームから所望の部分画像を指でタップして選択し、サーバ１に送信すればよい。
【００６８】
図１５は、カードＣの全体画像から所定の部分を選択して部分画像を特定する画面表示例を示したものである。受付部１１が、通信端末Ｍから、カードＣの固定情報全体を撮像した画像又は図９で説明した一覧画像から選択した選択データを受け付けると、情報格納部１２から図１３で説明したテーブルＴ４からすべての部分画像データを読み出して、前記受け付けた全体画像データに、読み出した部分画像データの配置情報をフレームＦ１、フレームＦ２、フレームＦ３の単位で設定し、フレーム画像データ生成する。設定は、各フレームの範囲を座標データで特定すればよい。図１５では、説明の便宜上、通信端末Ｍの表示画面Ｍｄ上に、座標データによる設定を明示するためにグリッド線を記載しているが、実際の画面ではグリッド線は表示しなくても良い。フレーム画像データ上で、利用者が所望の部分画像の箇所でタップすると、タップされた位置の座標データが、サーバ１に送信され、当該座標データがどのフレームの範囲内に属するか特定し、どの部分画像データに対応する情報の提供を要求しているかを判断する。
【００６９】
前記部分画像を撮像した場合、全体画像に比べて情報量が少なく、また、部分画像の対象によっては、たとえば会員番号にように他のカードの情報との区別がつきにくい情報のみから構成される画像もある。このような場合、特定する部分画像データが異なる複数のカードＣの部分画像として複数の候補が特定され、合成画像を生成する提供データが一意に特定できなくなる可能性がある。そこで、部分画像データから提供データを特定するのは、記憶部１６に全体画像が登録されている画像データから構成される固定情報を含むカードＣに限定し、図９で説明した一覧画像で、カードＣを特定し、送信する部分画像は、特定された当該カードＣの範囲内で特定する処理をすればよい。図１６は、部分画像を特定する処理のフロー図である。まず、通信端末Ｍから利用者識別情報を受信して受け付けると（Ｓ１０１）、一覧画像を生成し通信端末Ｍに送信する（Ｓ１０２）。通信端末Ｍで表示された一覧画像からカードＣを特定するために選択データを送信するとともに、当該カードＣの部分画像をサーバ１に送信する。サーバ１でこれを受け付けると（Ｓ１０３）、受け付けた部分画像データについて読み出し画像が存在するかどうかを判断し（Ｓ１０４）、読み出し画像が存在する場合は（Ｓ１０４のＹｅｓ）、前記選択データ内の部分画像データを情報格納部１２から読み出して（Ｓ１０５）、部分画像についての画像マッチングを行う（Ｓ１０６）。画像が一致した場合は（Ｓ１０８のＹｅｓ）、部分画像特定処理は終了し、以後は、図５のＳ７以降の処理と同じ処理行う。一方、画像が一致しない場合は（Ｓ１０８のＮｏ）、再びＳ１０４以降の処理を繰り返す。なお、Ｓ１０４において、読み出し画像が存在しない場合は（Ｓ１０４のＮｏ）、通信端末Ｍに対して一致画像なしの通知を行う（Ｓ１０６）。
【００７０】
以上、部分画像も提供データを特定するためのデータとして使用することができれば、１のカードＣで提供できる情報の量が位置データ、日時データのバリエーションに対応する画像データが、さらに細分化してバリエーションを形成することができ、固定情報が印刷等されたカードＣから、多様な情報を入手することができる。さらに、撮影する方向、角度の違いによって、異なるカードＣとして認識して処理することは前記したとおりであるが、図１７で示す通り、カードＣの撮影する方向、角度の違いによって、カードＣの同一性は維持しつつ、異なる情報を提供する角度別画像データ、あるいは、図１８で示す通り、複数のカードＣを所定の並べ方で配列することにより、１のカードＣとは異なる情報を提供する集合画像データのバリエーションを追加してもよい。また、前記集合画像データの場合は、同じ複数のカードＣであっても配列の仕方によって異なる情報が提供できるようにしてもよい。
【００７１】
なお、記憶部１６のテーブルＴ３の利用者属性情報Ｔ３３に、前記部分画像データ、角度別画像データ及び集合画像データに対応する提供データから生成された合成画像データの閲覧履歴を追加登録してもよい。これらの閲覧履歴は、カードＣ全体から得られる利用者の趣味、嗜好等をさらに細かい粒度で特定することができるため、前記スコアリング処理における属性値の信頼性がさらに向上する可能性がある。
【００７２】
また、本発明によれば、たとえば、上記カード等の媒体は、コンサートや観光地など、実際に現地に行かなければ入手できないものである一方で、時間、場所、あるいはカード内の各種情報（部分画像に対する情報）によって、異なる情報をインターネットを介して提供できるという特性を有していることから、比較的高い精度でユーザニーズを把握でき、オムニチャネルの新たな切り口になることが期待できる。媒体個々には、マーケット規模は小さいものの、多様なカードが発行されている現実に鑑みると、ニッチなロングテール市場を幾層にも積み重ねることが可能になり、全体としては、大きなマーケットを形成することも期待できる。さらに、利用者識別情報、位置データ、日時データ、提供したデータなどから、高精度のユーザの嗜好分析が可能なることも期待できる。
【符号の説明】
【００７３】
１    サーバ
１１  受付部
１２  情報格納部
１３  画像特定部  
１４  提供情報生成部  
１５  送信部
１６  記憶部
１７  一覧画像生成送信部
１８  スコアリング処理部
Ｃ    カード
Ｍ    通信端末  
【図１】
0006422259.tif 000002
【図２】
0006422259.tif 000003
【図３】
0006422259.tif 000004
【図４】
0006422259.tif 000005
【図５】
0006422259.tif 000006
【図６】
0006422259.tif 000007
【図７】
0006422259.tif 000008
【図８】
0006422259.tif 000009
【図９】
0006422259.tif 000010
【図１０】
0006422259.tif 000011
【図１１】
0006422259.tif 000012
【図１２】
0006422259.tif 000013
【図１３】
0006422259.tif 000014
【図１４】
0006422259.tif 000015
【図１５】
0006422259.tif 000016
【図１６】
0006422259.tif 000017
【図１７】
0006422259.tif 000018
【図１８】
0006422259.tif 000019